(57)【特許請求の範囲】
【請求項１】
貯水本体と循環ポンプ及び冷却ユニットより連係されてなる冷海水殺菌装置において、前記貯水本体（１）には、内部の所定隅部に殺菌室（５）と貯水槽（６）とを隔壁を以って形成し、該殺菌室（５）には、点灯装置（１１）に連通して紫外線ランプ（８）と石英管（９）を有する殺菌部（７）を縦設し、該殺菌部（７）には、内部にエアーポンプ（１０）よりのエアーをエアー管（１３）を経て該紫外線ランプ（８）と該石英管（９）との空間内部（Ａ）に注入し、該空間内部（Ａ）より該エアー管（１３）によって該貯水槽（６）の底部に設けたエアー分散器（２１）に連通し、該貯水槽（６）の内部に設けた循環送出部（２２）より循環流水管（２３）を経て循環ポンプ（２）及び冷却ユニット（３）を通過して該殺菌室（５）に循環供給し、且つ、該貯水槽（６）には、送水ポンプ（２５）の駆動により作動する送水管（２４）を連通し、該送水管（２４）は、複数の給水バルブ（２６）（２６）を設けて魚介類の水槽（２７）（２７）に注水することを特徴とする冷海水殺菌装置。
【発明の詳細な説明】
【０００１】
【産業上の利用分野】
本発明は、魚介類を市場等に出荷する際に処理水として使用する冷却殺菌海水を原海水濾過装置からの給水時だけでなく、貯水槽内で常時殺菌を継続するようにした冷海水殺菌装置に関するものである。
【０００２】
【従来の技術】
従来、この種の冷海水殺菌装置としては、第４図に示す如く、貯水槽（３０）に濾過水注入管（３４）を経て注水された海水は、下部の濾過水流出管（３６）より循環ポンプ（３１）によって冷却ユニット（３２）で冷却され、該冷却ユニット（３２）より冷却流水管（３７）を経て殺菌装置（３３）に送られ、殺菌された海水は、冷却殺菌流出管（３８）を経て該貯水槽（３０）に注入され、その後、送水ポンプ（３５）により各種の水槽等に給水されるものが知られている。
【０００３】
【発明が解決しよとうする課題】
従来の技術で述べたものにおいては、冷却ユニットと貯水槽との間に殺菌装置を介在してあるので、複雑な配管ロスと設置の場所を必要とする経済的な問題点を有し、また、外部に設置した殺菌装置が故障等の場合には、貯水槽を停止し海水の循環も止めると云う大変な問題点がある。
本発明は、上記従来の問題点に鑑みてなされたものであり、その目的とする所は、殺菌部のランプ等の交換、修理等の場合でも、貯水槽に設けた殺菌内に差込されているので、循環操作を停止することなく殺菌を継続して使用できる冷海水殺菌装置を提供しようとするものである。
【０００４】
【課題を解決するための手段】
上記目的を達成するために、本発明の冷海水殺菌装置によれば、貯水本体の内部には、所定箇所に殺菌室を有する貯水槽を設ける、この殺菌室には、内部に紫外線ランプと石英管とを有する殺菌部を縦設する。また、紫外線ランプと石英管の空間内部にエアーポンプよりのエアーをエアー管を経て該空間内部に注入し、該貯水槽には、エアーポンプに連通したエアー分散器を設ける。更に，該貯水槽に設けた循環送出部より循環流水管を経て循環ポンプ及び冷却ユニットを通過して該殺菌室に循環を繰返すものである。更に、貯水槽の下方に位置する送水ポンプの駆動により、送水管を介して魚介類の水槽に注水するものである。
【０００５】
【実施例】
次の本発明の実施例を図面について説明すると、貯水本体（１）と循環ポンプ（２）及び冷却ユニット（３）とは、連係されて構成され、該貯水本体（１）には、貯水槽（６）と隔壁を設けて内部の角隅等に殺菌室（５）を形成する。該殺菌室（５）には、点灯装置（１１）に連通してある紫外線ランプ（８）と石英管（９）とより構成された殺菌部（７）を縦設してある。該殺菌部（７）には、外部に設けたエアーポンプ（１０）よりのエアー管（１３）のエアーを空間内部（Ａ）に注入し、該空間内部（Ａ）よりのエアー管（１３）によって貯水槽（６）の底部附近に設けたエアー分散器（２１）に連通してある。次に、該殺菌室（５）には、下部に濾過装置よりの濾過水注入管（２９）より浸入する原水入口（１４）を装設し、且つ並設して循環流水管（２３）より流通する循環水入口（１２）を装設してある。該循環流水管（２３）は、該貯水槽（６）の下部に設けた循環送出部（２２）に連結してある。
【０００６】
次に、該貯水槽（６）の下方には、送水ポンプ（２５）の駆動により作動する送水管（２４）が連通されている。該送水管（２４）には、送水ポンプ（２５）を介して数個の給水バルブ（２６）を設けて各種の魚介類処理の水槽（２７）（２７）に注水するものである。なお、符号（２８）は、上部に設けたエアーを外部に出す排出部を示すものである。
更に、貯水槽（６）には、上部の所定位置にレベルスイッチ（１５）を装設してある。該レベルスイッチ（１５）には、取水ポンプ（１６）、水位下限警報器（１７）及び水位下限異常警報器（１８）・ＯＦＦの循環ポンプ（２）・殺菌装置（７）を装設する。また、他方には、水位上限異常警報器（１９）と下部にＯＦＦの送水ポンプ（２０）を装設したものである。
【０００７】
【作用】
本発明は上記の如き構成からなり、図１に示すものは、貯水本体（１）の周辺を示した殺菌装置の全体の構成を示したものであり、図示されていない濾過装置よりの濾過された海水等が濾過水注入管（２９）より殺菌室（５）に浸入して殺菌される。殺菌室（５）の水位の上昇により溢出した海水は貯水槽（６）内に浸入し、更に内部に設置したエアー分散器（２１）によって殺菌されたエアーで海水の撹拌と水温を一定にする。内部に装設されているレベルスイッチ（１５）の操作によって取水及び送水ポンプのＯＦＦ又はＯＮの作用及び水位の上限、下限時の異常、警報等のＯＦＦ又はＯＮの操作によって安全性を確保している。次に、貯水槽（６）の内部の殺菌とエアーを補給された海水は、循環送出部（２２）より循環ポンプ（２）を介して循環流水管（２３）を流通して冷却ユニット（３）を通過し、循環流水管（２３）を経て循環水入口（１２）より該殺菌室（５）に送出されるものである。
次に、該貯水槽（６）の内部の殺菌と冷却された海水等は、貯水槽（６）の下方に位置する送水管（２４）より送水ポンプ（２５）の操作及び給水バルブ（２６）（２６）の開閉によって自動的に運転するようになって各種の水槽（２７）に供給するものである。
【０００８】
【発明の効果】
本発明は上述の如き構成からなるもので、従来の如く、殺菌装置を外部に設置したものと比較して、配管設備の必要もなく、且つ設置場所も取らず、冷却の熱ロスが無いと云う経済的な優れた効果がある。そして、貯水本体に貯水槽と殺菌室とを隔壁を介して一体に形成したので、システム全体が著しく小型化されると共に、ランプ等の故障の際には、貯水槽内の殺菌室に殺菌部が差込式になっているので、海水の循環を停止することなくランプの交換が出来ると云う優れた効果がある。また、濾過装置から送出された給水時だけでなく、貯水後も殺菌を継続するので、安全性を著しく高める事が出来ると共に、殺菌したエアーで貯水槽の海水を撹拌し、水温を均一に保持できる効果がある。また、海水を使用して水位が下がった場合でも、内部の貯水槽を殺菌したエアーが充満しているので、外気が浸入する事がない衛生的な効果もある。更に、送水ポンプの駆動により作動する送水管により、遠方に位置する魚介類の水槽にも注水することが出来る効果もある。
【図面の簡単な説明】
【図１】  本発明の貯水本体よりの循環される工程の一部欠除した側面図である。
【図２】  同じく本発明の殺菌部を示した一部欠除した要部の縦断側面図である。
【図３】  同じく本発明の貯水本体の一部欠除した要部の縦断側面図である。
【図４】  従来の貯水槽よりの冷却循環装置の一部欠除した斜面図である。
【符号の説明】
１          貯水本体
２          循環ポンプ
３          冷却ユニット
５          殺菌室
６          貯水槽
７          殺菌部
８          紫外線ランプ
９          石英管
１０        エアーポンプ
１１        点灯装置
１２        循環水入口
１３        エアー管
１４        原水入口
１５        レベルスイッチ
１６        給水ポンプ
１７        水位下限警報
１８        水位下限異常警報・循環ポンプ・殺菌装置
１９        水位上限異常警報
２０        送水ポンプ
２１        エアー分散器
２２        循環送出部
２３        循環流水管
２４        送水管
２５        送水ポンプ
２６        給水バルブ
２７        水槽
２９        濾過水注入管
【図１】
0003937147.tif 000002
【図２】
0003937147.tif 000003
【図３】
0003937147.tif 000004
【図４】
0003937147.tif 000005